(57)【要約】【課題】  トラッキング情報を別途に記録する必要がなく、トラッキング情報を得るためにトラッキングを行う必要がないデータの記録及び／または再生方法とその装置を提供する。【解決手段】  グルーブ及びランドよりなる１層以上の情報保存層を持つ情報保存媒体に／からデータを記録／再生する方法であり、情報保存媒体からグルーブ信号を読み出す段階と、読み出されたグルーブ信号によってグルーブ記録方式またはランド記録方式を認識する段階と、認識された情報によってデータを記録／再生する段階とを含む。グルーブ記録型であるかまたはランド記録型であるかをグルーブウォッブル信号から判別する。【選択図】      図５
2005243229.tif 000002
【特許請求の範囲】
【請求項１】
グルーブ及びランドよりなる１層以上の情報保存層を持つ情報保存媒体に／からデータを記録／再生する方法であって、
前記情報保存媒体からグルーブ信号を読み出す段階と、
読み出されたグルーブ信号によってグルーブ記録方式またはランド記録方式を認識する段階と、
認識された情報によってデータを記録／再生する段階とを含むことを特徴とする方法。
【請求項２】
前記グルーブ信号は、グルーブウォッブルから読み出された信号であることを特徴とする請求項１に記載の方法。
【請求項３】
前記グルーブ信号は、ディスク領域に関する情報、アドレス情報または所定のパターン情報であることを特徴とする請求項１または２に記載の方法。
【請求項４】
グルーブ及びランドよりなる記録可能な情報保存媒体に／からデータを記録／再生する装置であって、
前記情報保存媒体にビームを照射するピックアップ部と、
前記ピックアップ部を通じて受けた信号からグルーブ信号を処理する記録／再生信号処理部と、
前記グルーブ信号を通じてグルーブ記録方式またはランド記録方式を判断して、前記ピックアップ部がグルーブまたはランドに／からデータを記録／再生するようにする制御部とを含むことを特徴とする装置。
【請求項５】
前記グルーブ信号はグルーブウォッブルから読み出された信号であることを特徴とする請求項４に記載の装置。
【請求項６】
前記グルーブ信号はディスク領域に関する情報、アドレス情報または所定のパターン情報であることを特徴とする請求項４または５に記載の装置。
【発明の詳細な説明】
【技術分野】
【０００１】
本発明はランド記録方式またはグルーブ記録方式に関する情報をグルーブ信号から読み出して情報を記録／再生する方法及びデータの記録／再生装置に関する。
【背景技術】
【０００２】
一般的に、光情報保存媒体は、情報記録容量によってコンパクトディスク（ＣＤ）、デジタル多機能ディスク（ＤＶＤ）に区分される。これに、ディスク直径が６５ｍｍ以下のミニディスク（ＭＤ）がさらに追加されうる。さらに、２０ＧＢ以上の容量を持つディスクが開発されつつある。
【０００３】
このような光ディスクは、さらに再生専用ディスクと再記録可能ディスクとに細分できる。再生専用ディスクにはＣＤ−ＲＯＭ、ＤＶＤ−ＲＯＭがあり、記録可能ディスクには、ＣＤ±Ｒ／ＲＷ、ＤＶＤ±Ｒ／ＲＷ、ＤＶＤ−ＲＡＭなどがある。ＣＤ−Ｒ及びＤＣＤ−Ｒは追記のみ可能であり、ＣＤ−ＲＷ及びＤＶＤ−ＲＷは約１０００回の記録及び／または再生が可能であり、ＤＶＤ−ＲＡＭは数十万回の記録及び／または再生が可能である。
【０００４】
一般的に、再生専用ディスクや追記（リードオンリ）型ディスクにはピットでデータが記録されており、反復記録可能（リライタブル）型ディスクには相変化物質が塗布されていて相変化によりデータが記録される。
【０００５】
光ディスクの記録及び／または再生装置に備えられたピックアップは、ユーザーデータが記録されたトラックを正確に追従してトラックから反射されたレーザービームを受光することによってユーザーデータを読み出す。ピックアップがトラックを追従するために使われる信号をトラッキング信号と呼ぶ。トラッキング信号は、レーザービームが複数個に分割された受光部を持つフォトダイオードにより受光された後、各受光部に受光された光から得られた信号を加算または減算することによって得られる。トラッキング信号は、中心を基準として左右の極性が互いに逆のＳ字曲線形態を持つ。
【０００６】
トラッキング信号の極性は、光ディスクの種類、すなわち、記録層の物理的特性、例えば、ピットの物理的形状、トラックの物理的形状によって変わる。例えば、図１Ａ及び図１Ｂは、グルーブトラックＧとランドトラックＬとが互いに逆に配列されて形成された場合に備えて図示したものである。図１Ａはデータがグルーブに記録されたものであって、トラッキング信号が（＋）から（−）に変化するのに対し、図１Ｂはランドにデータが記録されたものであって、トラッキング信号が（−）から（＋）に変化する。このように、トラッキング信号の極性は２つに区分されるところ、一つは（−）から（＋）に変化し、他の一つは（＋）から（−）に変化する。ところが、トラッキング信号の極性によってトラッキング信号処理が変わる。
【０００７】
特に、追記型情報保存媒体の場合には、情報がランドに記録されるタイプまたはグルーブに記録されるタイプがある。例えば、有機色素材質からなる情報保存媒体は、容量の増加につれてグルーブの幅が狭くなりつつスピンコーティング時にグルーブトラックに記録膜が良好に形成されないために、ランドトラックにデータを記録せねばならない。
【０００８】
このように記録層の物理的特性や情報が記録されるトラックの類型によってトラッキング信号が変わるのでトラッキング極性を判断できる方法が必要である。このために、トラッキング極性情報を情報保存媒体の所定領域に保存し、この情報を読み取ってデータを再生する方法が利用されている。しかし、このような情報は、ドライブがトラッキングを行った後に読み取れる情報であるが、トラッキング極性情報を読み取る前であるために有用に利用されない。
【０００９】
したがって、情報保存媒体がドライブに挿入された後、トラッキング極性情報を読み取るためのトラッキングを行う前にドライブがトラッキング極性情報を判別できる方法が必要である。
【発明の開示】
【発明が解決しようとする課題】
【００１０】
本発明は前記問題点を鑑みてなされたものであり、データがグルーブトラック及びランドトラックのうちどこに記録されるかに関する情報を、トラッキング実行前にドライブが認識できるようにするデータ記録／再生方法及び装置を提供するところにその目的がある。
【課題を解決するための手段】
【００１１】
前記目的を達成するために、本発明によるデータ記録／再生方法は、グルーブ及びランドよりなる１層以上の情報保存層を持つ情報保存媒体に／からデータを記録／再生する方法であり、前記情報保存媒体からグルーブ信号を読み出す段階と、読み出されたグルーブ信号によってグルーブ記録方式またはランド記録方式を認識する段階と、認識された情報によってデータを記録／再生する段階とを含むことを特徴とする。
【００１２】
前記グルーブ信号はグルーブウォッブルから読み出された信号であることを特徴とする。
【００１３】
前記グルーブ信号はディスク領域に関する情報、アドレス情報または所定のパターン情報であることを特徴とする。
【００１４】
前記目的を達成するために、本発明によるデータ装置は、グルーブ及びランドよりなる記録可能な情報保存媒体に／からデータを記録／再生する装置において、前記情報保存媒体にビームを照射するピックアップ部と、前記ピックアップ部を通じて受けた信号からグルーブ信号を処理する記録／再生信号処理部と、前記グルーブ信号を通じてグルーブ記録方式またはランド記録方式を判断して、前記ピックアップ部がグルーブまたはランドに／からデータを記録／再生するようにする制御部とを含むことを特徴とする。
【発明の効果】
【００１５】
本発明による情報保存媒体にデータを記録／再生する方法及び装置によれば、グルーブ記録型であるかまたはランド記録型であるかをグルーブウォッブル信号から判別することによって、トラッキング情報を別途に記録する必要がなく、トラッキング情報を得るためにトラッキングを行う必要がない。
【発明を実施するための最良の形態】
【００１６】
以下、添付した図面を参照して本発明の望ましい実施例について詳細に説明する。
【００１７】
本発明による情報保存媒体に／からデータを記録／再生する方法を説明する前に、トラッキングと関連したプッシュプル信号について調べるためにシミュレーションした結果を、図２Ａ、図２Ｂ、図３Ａ及び図３Ｂに示した。ここで、シミュレーション条件は次の通りである。
【００１８】
【表１】
2005243229.tif 000003
表１でＲＬＬ（ランレングスリミテッド）変調方式は、１ビットと１ビットとの間に０ビットが何個が入るかによる変調方式を表すものであり、ＲＬＬ（ｍ，ｋ）は１ビットと１ビットとの間にくる０ビットの数が最小ｍ個であり、最大ｋ個であることを意味する。例えば、ＲＬＬ（１，７）は１ビットと１ビットとの間に入る０ビットの数が１〜７である方式を表す。この変調方式によれば、ｍ＝１である時（１０１０１０１）のデータが記録され、１ビットと１ビットとの間に２Ｔの長さを持つ。また、ｍ＝７である時に（１０００００００１０００００００１）のデータが記録され、１ビットと１ビットとの間に８Ｔの長さを持つ。ここで、Ｔは最小マーク、すなわち、最小ピット長を表す。したがって、ＲＬＬ（１，７）変調方式では、データが（２Ｔ−８Ｔ）の長さを持つピット及びスペースで記録される。
【００１９】
図２Ａは、データが引込ピットで記録されている時のＲＦ信号及びＤＰＤ（Ｄｉｆｆｅｒｅｎｔｉａｌ  Ｐｈａｓｅ  Ｄｅｔｅｃｔｉｏｎ）信号を表したものでああり、図２Ｂは、データが突出ピットで記録されている時のＲＦ信号及びＤＰＤ信号を表したものである。図２Ａ及び図２Ｂによれば、ＤＰＤ信号はピット形状によって極性が変わらない。
【００２０】
一方、図３Ａは、データが引込ピットで記録されている時のプッシュプル信号を表したものであり、図３Ｂは、データが突出ピットで記録されている時のプッシュプル信号を表したものである。図３Ａ及び図３Ｂによれば、プッシュプル信号はピット形状によって極性が変わることが分かる。したがって、プッシュプル信号により情報を再生するか、またはトラッキングを具現する場合にピット形状によるトラッキング極性情報が必要である。
【００２１】
このようにトラッキング極性が異なる場合には再生されたデータが正常に認識されない。図４は、プッシュプル信号の極性が変わるにつれてグルーブのウォッブルを利用してデータを記録する方法の一例を表したものである。図４を参照するに、バイ−フェーズ記録方式によって信号の極性が逆になることが分かる。このような場合に信号再生が不可能でありうるので、プッシュプル極性情報または記録領域に関する情報を提供する必要がある。記録領域に関する情報は、データがグルーブＧに記録されるか、またはランドＬに記録されるかに関する情報を表す。
【００２２】
以下、本発明ではトラッキングを行う必要なしにトラッキング情報を判別してデータを記録する方法を提供する。
【００２３】
本発明によるデータ記録／再生方法は、図５を参照するに、情報保存媒体が記録／再生システムにローディングされればグルーブまたはランドから読み出される信号を読み取る。そして、この信号が正常に読み出されれば、信号が読み取られたグルーブにデータを記録し、信号が正常に読み取られない場合にはランドにデータを記録する。
【００２４】
前記グルーブ信号は、例えば、ディスク領域に関する情報、アドレス情報または所定のパターン情報でありうる。
【００２５】
また、グルーブから読み出される信号はグルーブウォッブル信号であることが望ましい。グルーブウォッブル信号はプッシュプル信号として読み出されるが、グルーブウォッブル信号を読み取る時にランドトラックに沿って読み取れば、トラッキング極性が変わって出るものではなく信号が読み取られない。逆に、ランドトラックにウォッブル信号が記録されている時、グルーブトラックに沿って信号を読み取る時にも信号が読み取られない。本発明では、このような特性を利用して別途のトラッキング極性情報を記録せず、グルーブウォッブル信号またはランドウォッブル信号が読み取られるか否かによってグルーブ記録方式であるかランド記録方式であるかを判断する。
【００２６】
図６を参照するに、レーザービームＡがグルーブウォッブル信号を読み取って信号が正常に出ればグルーブ記録型であり、信号が読み取られなければランド記録型であることを表す。また、レーザービームＢがランドウォッブル信号を読み取って信号が正常に出ればランド記録型であり、信号が読み取られなければグルーブ記録型であることを表す。このようにして把握されたトラッキング情報に基づいてユーザーデータを記録／再生する。
【００２７】
本発明ではトラッキング情報を別途に記録する必要がなく、トラッキングを行わなくてもグルーブ記録型であるかランド記録型であるかが分かる。
【００２８】
次いで、図７は、本発明による情報保存媒体の記録／再生装置を概略的に示したものである。
【００２９】
本発明による記録／再生システムは、ピックアップ部５０、記録／再生信号処理部６０及び制御部７０を含んで構成される。さらに具体的には、記録／再生システムは、光を照射するレーザーダイオード５１、レーザーダイオード５１から照射される光を平行にするコリメートレンズ５２、入射光の進路を変換するビームスプリッタ５４、ビームスプリッタ５４を通過した光を情報保存媒体Ｄに集束させる対物レンズ５６を含む。
【００３０】
前記情報保存媒体Ｄで反射された光がビームスプリッタ５４により反射されて光検出器、例えば、４分割光検出器５７に受光される。光検出器５７に受光された光は演算回路部５８を経て電気信号に変換されてＲＦ信号、すなわち、和信号として検出されるチャンネル１  Ｃｈ１と、プッシュプル方式で信号を検出する差動信号チャンネルＣｈ２とに出力される。
【００３１】
制御部７０では、情報保存媒体がローディングされれば、ピックアップ部５０を通じてビームを照射して、グルーブから読み出される信号を信号処理部６０を通じて読み取る。この時、情報保存媒体Ｄから反射されたビームが対物レンズ５６及びビームスプリッタ５４を通じて光検出器５７に入力される。光検出器５７に入力された信号は、演算回路部５８により電気信号に変換されてＲＦ信号として出力される。
【００３２】
信号処理部６０で、信号が正常に出力されるかどうかによってグルーブ記録型であるか、またはランド記録型であるかを判断する。この判断によって制御部７０は、データをグルーブに記録するかまたはランドに記録するかを定めてピックアップ部５０を制御する。
【産業上の利用可能性】
【００３３】
本発明は、情報保存媒体がドライブに挿入された後、トラッキング極性情報を読み取るためのトラッキングを行う前に、ドライブがトラッキング極性情報を判別できてさらに迅速かつ正確に保存媒体にデータを記録できる。
【図面の簡単な説明】
【００３４】
【図１Ａ】グルーブトラック及びランドトラックによるトラッキング極性を示す図である。
【図１Ｂ】グルーブトラック及びランドトラックによるトラッキング極性を示す図である。
【図２Ａ】データが突出ピットで形成された情報保存媒体で、経時的なＤＰＤ信号及びＲＦ信号の変化を示すグラフである。
【図２Ｂ】データが引込ピットで形成された情報保存媒体で、経時的なＤＰＤ信号及びＲＦ信号の変化を示すグラフである。
【図３Ａ】データが突出ピットで形成された情報保存媒体で、経時的なプッシュプル信号変化を示すグラフである。
【図３Ｂ】データが引込ピットで形成された情報保存媒体で、経時的なプッシュプル信号の変化を示すグラフである。
【図４】バイフェーズ方式でデータが記録された情報保存媒体で、トラッキング極性が変わることを示す図である。
【図５】本発明による情報保存媒体のデータ記録／再生方法を示すブロック図である。
【図６】本発明による情報保存媒体のデータ記録／再生方法を説明するための図である。
【図７】本発明による情報保存媒体のデータ記録／再生システムを概略的に示す図である。
【符号の説明】
【００３５】
５０  ピックアップ部
５１  レーザーダイオード
５２  コリメートレンズ
５４  ビームスプリッタ
５６  対物レンズ
５７  ４分割光検出部
５８  演算回路部
６０  信号処理部
７０  制御部
【図１Ａ】
2005243229.tif 000004
【図１Ｂ】
2005243229.tif 000005
【図２Ａ】
2005243229.tif 000006
【図２Ｂ】
2005243229.tif 000007
【図３Ａ】
2005243229.tif 000008
【図３Ｂ】
2005243229.tif 000009
【図４】
2005243229.tif 000010
【図５】
2005243229.tif 000011
【図６】
2005243229.tif 000012
【図７】
2005243229.tif 000013